(57)【要約】【課題】この発明は、デコードされたクローズドキャプション情報内に予め定められた文字列が存在する場合に、当該文字列に対応する字幕を含むようなサブピクチャ情報を表示させないようにすることができる光ディスク再生装置を提供することを目的とする。【解決手段】光ディスク再生装置において、デコードされたクローズドキャプション情報内に、予め定められた文字列が存在しているか否かを判定する判定手段、およびデコードされたクローズドキャプション情報内に予め定められた文字列が存在していると判定されたときに、デコードされたサブピクチャ情報のうち、デコードされたクローズドキャプション情報内に存在すると判定された上記文字列に対応する字幕を含む可能性のあるサブピクチャ情報が表示されるのを禁止する禁止手段を備えている。【選択図】　図１
2004007344.tif 000002
【特許請求の範囲】
【請求項１】
圧縮された、ビデオ情報、サブピクチャ情報、音声情報およびクローズドキャプション情報からなるビットストリームが記録された記録媒体からビットストリームを読み取り、読み取ったビットストリームを元のビデオ情報、サブピクチャ情報、音声情報およびクローズドキャプション情報にデコードして、再生を行う機能を備えた光ディスク再生装置において、
デコードされたクローズドキャプション情報内に、予め定められた文字列が存在しているか否かを判定する判定手段、および
デコードされたクローズドキャプション情報内に予め定められた文字列が存在していると判定されたときに、デコードされたサブピクチャ情報のうち、デコードされたクローズドキャプション情報内に存在すると判定された上記文字列に対応する字幕を含む可能性のあるサブピクチャ情報が表示されるのを禁止する禁止手段、
を備えていることを特徴とする光ディスク再生装置。
【請求項２】
禁止手段は、デコードされたクローズドキャプション情報内に予め定められた文字列が存在していると判定されたときに、デコードされたサブピクチャ情報を記憶しているバッファの内容をクリアさせるものであることを特徴とする請求項１に記載の光ディスク再生装置。
【請求項３】
デコードされたクローズドキャプション情報内に、予め定められた文字列が存在していると判定されたときに、当該文字列を他の文字列に置き換える手段を備えていることを特徴とする請求項１および２のいずれかに記載の光ディスク再生装置。
【請求項４】
デコードされたクローズドキャプション情報内に、予め定められた文字列が存在していると判定されたときに、音声出力を一定期間ミュートさせる手段を備えていることを特徴とする請求項１、２および３のいずれかに記載の光ディスク再生装置。
【請求項５】
デコードされたクローズドキャプション情報内に、予め定められた文字列が存在していると判定されたときに、一定期間、音声信号からボイス信号を除去して出力する手段を備えていることを特徴とする請求項１、２および３のいずれかに記載の光ディスク再生装置。
【請求項６】
圧縮された、ビデオ情報、サブピクチャ情報、音声情報およびクローズドキャプション情報からなるビットストリームが記録された記録媒体からビットストリームを読み取り、読み取ったビットストリームを元のビデオ情報、サブピクチャ情報、音声情報およびクローズドキャプション情報にデコードして、再生を行う機能を備えた光ディスク再生装置において、
デコードされたクローズドキャプション情報内に、予め定められた文字列が存在しているか否かを判定する判定手段、および
デコードされたクローズドキャプション情報内に予め定められた文字列が存在していると判定されたときに、一定期間、音声信号からボイス信号を除去して出力させる手段を備えていることを特徴とする光ディスク再生装置。
【発明の詳細な説明】
【０００１】
【発明の属する技術分野】
この発明は、ＤＶＤ等の光ディスクを再生するための光ディスク再生装置に関する。
【０００２】
【従来の技術】
ＤＶＤ（ＤＩＧＩＴＡＬ　ＶＥＲＳＡＴＩＬＥ　ＤＩＳＫ）の中には、圧縮された、ビデオ情報、音声情報、サブピクチャ情報（字幕情報）およびクローズドキャプション情報からなるビットストリームが記録されているものがある。クローズドキャプション情報とは、字幕データの１種であるｃｌｏｓｅｄ　ｃａｐｔｉｏｎのテキストデータをいう。
【０００３】
このようなＤＶＤを再生するＤＶＤ再生装置として、ＤＶＤからからビットストリームを読み取り、読み取ったビットストリームを元のビデオ情報、サブピクチャ情報、音声情報およびクローズドキャプション情報にデコードして、再生を行う機能を備えているものがある。この種のＤＶＤ再生装置では、デコードされたビデオ情報とデコードされたサブピクチャ情報とがミキシングされ、ミキシング後のビデオ信号にデコードされたクローズドキャプション情報が付加（重畳）されて出力される。
【０００４】
また、この種のＤＶＤ再生装置の中には、子供に不適切な言葉を聞かせたり、見せたりしないようにするために、クローズドキャプション情報に含まれている不適切な言葉等を他の言葉に置き換えるための文字列変換テーブルを備え、デコードされたクローズドキャプション情報内に文字列変換テーブルに登録されている不適切な文字列が存在しているか否かを判別し、存在している場合にはクローズドキャプション情報内の当該不適切な文字列を文字列変換テーブルにしたがって他の文字列に置き換えるとともに、音声出力を一定期間ミュートさせるといった機能を備えたものも既に開発されている。
【０００５】
このように従来のＤＶＤ再生装置では、クローズドキャプション情報に含まれている不適切な言葉を他の言葉に置き換えるとともに、そのような置き換えが発生した際に音声を一定期間ミュートさせることはできるが、サブピクチャ情報（字幕情報）に関してはテキストデータでないため置き換えができないという問題がある。
【０００６】
また、従来のＤＶＤ再生装置では、クローズドキャプション情報に含まれている不適切な言葉を他の言葉に置き換えるとともに、そのような置き換えが発生した際に音声を一定期間ミュートさせているが、音声をミュートした場合には、人間の声（ボイス）の他、効果音やＢＧＭ（バックグランドミュージック）までもミュートされてしまうという問題がある。
【０００７】
【発明が解決しようとする課題】
この発明は、デコードされたクローズドキャプション情報内に予め定められた文字列が存在する場合に、当該文字列に対応する字幕を含むようなサブピクチャ情報を表示させないようにすることができる光ディスク再生装置を提供することを目的とする。
【０００８】
また、この発明は、デコードされたクローズドキャプション情報内に予め定められた文字列が存在する場合に、クローズドキャプション情報内の当該文字列を他の文字列に置き換えることができるとともに、当該文字列に対応する字幕を含むようなサブピクチャ情報を表示させないようにすることができる光ディスク再生装置を提供することを目的とする。
【０００９】
また、この発明は、デコードされたクローズドキャプション情報内に予め定められた文字列が存在する場合に、クローズドキャプション情報内の当該文字列を他の文字列に置き換えることができるとともに音声出力を一定期間ミュートでき、しかも当該文字列に対応する字幕を含むようなサブピクチャ情報を表示させないようにすることができる光ディスク再生装置を提供することを目的とする。
【００１０】
また、この発明は、デコードされたクローズドキャプション情報内に予め定められた文字列が存在する場合に、クローズドキャプション情報内の当該文字列を他の文字列に置き換えることができるとともに、一定期間、音声信号に含まれている人間の声のみをミュートでき、しかも当該文字列に対応する字幕を含むようなサブピクチャ情報を表示させないようにすることができる光ディスク再生装置を提供することを目的とする。
【００１１】
また、この発明は、デコードされたクローズドキャプション情報内に予め定められた文字列が存在する場合に、一定期間、音声信号に含まれている人間の声のみをミュートできる光ディスク再生装置を提供することを目的とする。
【００１２】
【課題を解決するための手段】
請求項１に記載の発明は、圧縮された、ビデオ情報、サブピクチャ情報、音声情報およびクローズドキャプション情報からなるビットストリームが記録された記録媒体からビットストリームを読み取り、読み取ったビットストリームを元のビデオ情報、サブピクチャ情報、音声情報およびクローズドキャプション情報にデコードして、再生を行う機能を備えた光ディスク再生装置において、デコードされたクローズドキャプション情報内に、予め定められた文字列が存在しているか否かを判定する判定手段、およびデコードされたクローズドキャプション情報内に予め定められた文字列が存在していると判定されたときに、デコードされたサブピクチャ情報のうち、デコードされたクローズドキャプション情報内に存在すると判定された上記文字列に対応する字幕を含む可能性のあるサブピクチャ情報が表示されるのを禁止する禁止手段を備えていることを特徴とする。
【００１３】
請求項２に記載の発明は、請求項１に記載の光ディスク再生装置において、禁止手段は、デコードされたクローズドキャプション情報内に予め定められた文字列が存在していると判定されたときに、デコードされたサブピクチャ情報を記憶しているバッファの内容をクリアさせるものであることを特徴とする。
【００１４】
請求項３に記載の発明は、請求項１または２に記載の光ディスク再生装置において、デコードされたクローズドキャプション情報内に、予め定められた文字列が存在していると判定されたときに、当該文字列を他の文字列に置き換える手段を備えていることを特徴とする。
【００１５】
請求項４に記載の発明は、請求項１乃至３に記載の光ディスク再生装置において、デコードされたクローズドキャプション情報内に、予め定められた文字列が存在していると判定されたときに、音声出力を一定期間ミュートさせる手段を備えていることを特徴とする。
【００１６】
請求項５に記載の発明は、請求項１乃至３に記載の光ディスク再生装置において、デコードされたクローズドキャプション情報内に、予め定められた文字列が存在していると判定されたときに、一定期間、音声信号からボイス信号を除去して出力させる手段を備えていることを特徴とする。
【００１７】
請求項６に記載の発明は、圧縮された、ビデオ情報、サブピクチャ情報、音声情報およびクローズドキャプション情報からなるビットストリームが記録された記録媒体からビットストリームを読み取り、読み取ったビットストリームを元のビデオ情報、サブピクチャ情報、音声情報およびクローズドキャプション情報にデコードして、再生を行う機能を備えた光ディスク再生装置において、デコードされたクローズドキャプション情報内に、予め定められた文字列が存在しているか否かを判定する判定手段、およびデコードされたクローズドキャプション情報内に予め定められた文字列が存在していると判定されたときに、一定期間、音声信号からボイス信号を除去して出力させる手段を備えていることを特徴とする。
【００１８】
【発明の実施の形態】
以下、図面を参照して、この発明をＤＶＤ再生装置に適用した場合の実施の形態について説明する。
【００１９】
〔１〕ＤＶＤ再生装置の構成についての説明
【００２０】
図１は、ＤＶＤ再生装置の概略構成を示している。
【００２１】
１１はＤＶＤディスクから情報を読みとるドライブ部である。１３はドライブ部１１から受信したビットストリームを、ビデオ情報、音声情報、サブピクチャ情報（字幕情報）およびクローズドキャプション情報に分離するデマルチプレクサである。デマルチプレクサ１３によって分離された各情報は圧縮された情報である。
【００２２】
１４はデマルチプレクサ１３によって得られた圧縮ビデオ情報を伸長するビデオデコーダである。１５は、デマルチプレクサ１３によって得られた圧縮音声情報を伸長するオーディオデコーダである。２０は音声をミュートするためのミュート回路である。１６は、デマルチプレクサ１３によって得られた圧縮サブピクチャ情報を伸長するサブピクチャデコーダである。１７は、デマルチプレクサ１３によって得られた圧縮クローズドキャプション情報を伸長するクローズドキャプションデコーダである。
【００２３】
１８はビデオデコーダ１４から出力されるビデオ信号と、サブピクチャデコーダ１６から出力されるビデオ信号とをミキシングするミキサーである。１９はミキサー１８から出力されるビデオ信号に、クローズドキャプションデコーダ１７から出力されるクローズドキャプション信号を挿入し、アナログのビデオ信号に変換するビデオエンコーダである。
【００２４】
１２はシステム全体を制御しているＣＰＵである。２１は文字列変換テーブルであり、ＣＰＵ１２からアクセスできるＲＯＭ内に存在している。文字列変換テーブル２１の内容を図２に示す。図２に示すように、文字列変換テーブル２１は、複数の変換前文字列の情報と、各変換前文字列の情報毎に対応した変換後文字列の情報とで構成されている。
【００２５】
ＤＶＤ再生装置の再生モードには、通常再生モードと、制限付再生モードとがある。制限付再生モードでは、クローズドキャプション情報に含まれている不適切な言葉が他の言葉に置き換えられるとともに、このような言葉の置き換えが発生した際に音声が一定期間ミュートされるとともにサブピクチャ情報（字幕情報）が一定期間表示されなくなる。これに対して、通常再生モードでは、言葉の置き換え、音声ミュート制御、サブピクチャ情報（字幕情報）の表示禁止制御は行われない。
【００２６】
〔２〕通常再生モード時の動作の説明
【００２７】
通常再生モード時には、ＣＰＵ１２は、クローズドキャプションデコーダ１７によってデコードされたクローズドキャプション情報内に含まれている文字列と文字列変換テーブル２１との照合は行わないため、クローズドキャプション情報内に含まれる文字列の置き換えは行われない。
【００２８】
したがって、ビデオデコーダ１４から出力されるビデオ信号と、サブピクチャデコーダ１６から出力されるビデオ信号とがミキサー１８によってミキシングされた後、ミキサー１８から出力されるビデオ信号に、クローズドキャプションデコーダ１７から出力される文字列の置き換えのないクローズドキャプション信号がビデオエンコーダ１９によって挿入され、アナログのビデオ信号に変換されて出力される。
【００２９】
通常再生モード時には、クローズドキャプション情報内に含まれる文字列の置き換えは行われないため、文字列の置き換えに基づく音声ミュート制御も行われない。
【００３０】
〔３〕制限付き再生モード時の動作の説明
【００３１】
制限付き再生モード時には、ＣＰＵ１２は、クローズドキャプションデコーダ１７によってデコードされたクローズドキャプション情報を、常時モニタリングしている。ＣＰＵ１２は、デコードされたクローズドキャプション情報内に含まれている文字列と文字列変換テーブル２１内の変換前文字列の情報とを照合し、クローズドキャプション情報内に含まれている文字列が文字列変換テーブル２１内の変換前文字列の情報として存在している場合には、その文字列をその文字列に対応した変換後文字列の情報に置き換え、置き換え後のクローズドキャプション信号をビデオエンコーダ１９に送信する。
【００３２】
また、ＣＰＵ１２は、クローズドキャプション情報内に含まれている文字列の置き換えが発生したときには、音声出力を一定期間ミュートするように音声ミュート回路２０を制御する。さらに、ＣＰＵ１２は、クローズドキャプション情報内に含まれている文字列の置き換えが発生したときには、置き換え前の文字列と同様な文字列を含む字幕（サブピクチャ）が表示されないようにするために、サブピクチャデコーダ内のバッファに蓄積されているサブピクチャデータ（デコード後に得られるサブピクチャユニット（ＳＰＵ）をクリアすることにより、一定期間、サブピクチャ情報（字幕情報）が表示されないようにする。
【００３３】
〔３〕変形例の説明
【００３４】
なお、図３に示すように、図１の音声ミュート回路２０の代わりに、音声信号に含まれているボイス信号（人間の声に対応する信号）のみを除去するボイスキャンセル回路（ボーカルフィーダ）２０Ａを用い、制限付き再生モード時において、クローズドキャプション情報内に含まれている文字列の置き換えが発生したときには、一定期間、ボイスキャンセル回路２０Ａによって音声信号からボイス信号のみを除去させるようにしてもよい。
【００３５】
ボイスキャンセル回路２０Ａには、左チャンネルの音声信号と右チャンネルの音声信号が入力されているとする。ボイスキャンセル回路２０Ａとしては、例えば、特開平７−１４１７５９号に示されているボイスキャンセル回路を用いることができる。つまり、音声信号中のボイス信号は、左右の各チャンネルの音声信号に、ほぼ同じ割合でかつ同相状態で含まれていると考えられるため、原理的には、左右の両チャンネルの音声信号に共通に含まれているボイス信号を抽出し、抽出したボイス信号を左右の各チャンネルの音声信号から除去すればよい。
【００３６】
この変形例によれば、クローズドキャプション情報内に含まれている文字列の置き換えが発生したときには、一定期間、音声信号からボイス信号のみが除去された信号が出力されるので、不適切な言葉が音声出力されるのを防止できるとともに、効果音やＢＧＭについては音声出力できるようになる。
【００３７】
【発明の効果】
この発明によれば、デコードされたクローズドキャプション情報内に予め定められた文字列が存在する場合に、当該文字列に対応する字幕を含むようなサブピクチャ情報を表示させないようにすることができる。
【００３８】
また、この発明によれば、デコードされたクローズドキャプション情報内に予め定められた文字列が存在する場合に、クローズドキャプション情報内の当該文字列を他の文字列に置き換えることができるとともに、当該文字列に対応する字幕を含むようなサブピクチャ情報を表示させないようにすることができる。
【００３９】
また、この発明によれば、デコードされたクローズドキャプション情報内に予め定められた文字列が存在する場合に、クローズドキャプション情報内の当該文字列を他の文字列に置き換えることができるとともに音声出力を一定期間ミュートでき、しかも当該文字列に対応する字幕を含むようなサブピクチャ情報を表示させないようにすることができる。
【００４０】
また、この発明によれば、デコードされたクローズドキャプション情報内に予め定められた文字列が存在する場合に、クローズドキャプション情報内の当該文字列を他の文字列に置き換えることができるとともに、一定期間、音声信号に含まれている人間の声のみをミュートでき、しかも当該文字列に対応する字幕を含むようなサブピクチャ情報を表示させないようにすることができる。
【００４１】
また、この発明によれば、デコードされたクローズドキャプション情報内に予め定められた文字列が存在する場合に、一定期間、音声信号に含まれている人間の声のみをミュートできる。
【図面の簡単な説明】
【図１】ＤＶＤ再生装置の概略構成を示すブロック図である。
【図２】文字列変換テーブル２１の内容を示す模式図である。
【図３】変形例を示すブロック図である。
【符号の説明】
１１　ドライブ部
１２　ＣＰＵ
１３　デマルチプレクサ
１４　ビデオデコーダ
１５　オーディオデコーダ
１６　サブピクチャデコーダ
１７　クローズドキャプションデコーダ
１８　ミキサー
１９　ビデオエンコーダ
２０　ミュート回路
２０Ａ　ボイスキャンセル回路
２１　文字列変換テーブル
【図１】
2004007344.tif 000003
【図２】
2004007344.tif 000004
【図３】
2004007344.tif 000005